(57)【特許請求の範囲】
【請求項１】
ラジアルカーカスのクラウン域の外周側に、二層の内層側狭幅ベルト層と、これらの狭幅ベルト層より広幅の、一層以上の外層側広幅ベルト層とを順次に配設してなる重荷重用空気入りタイヤであって、
二層の狭幅ベルト層のそれぞれのベルトコードの、タイヤ赤道面に対する交角を、広幅ベルト層のベルトコードのそれより小さくするとともに、それらのそれぞれのベルト層のベルトコードを、層間で相互に交差する方向に延在させ、最内層狭幅ベルト層の側縁部分を、半径方向外方に向けて凸となる形態とするとともに、その凸部の最大突出高さ（Ｃ）を、その最内層狭幅ベルト層の、タイヤ赤道面との交差位置での内周面を基準として、
０＜Ｃ＜３×ｄ１
ｄ１：最内層狭幅ベルト層のベルトコードの直径
の範囲とし、
前記凸部のピーク部分を、最内層狭幅ベルト層の幅に対し、タイヤ赤道面を中心として、６０％〜９５％の範囲内で、且つ、最内層狭幅ベルト層の外周側に隣接する狭幅ベルト層の側縁位置よりも、タイヤ幅方向内側に設けてなる重荷重用空気入りタイヤ。
【請求項２】
狭幅ベルト層の幅を、トレッド幅（ＴＷ）の０．２５〜０．５倍の範囲とするとともに、ベルトコードの、タイヤ赤道面に対する交角を３〜１０°の範囲としてなる請求項１に記載の重荷重用空気入りタイヤ。
【請求項３】
広幅ベルト層の幅を、トレッド幅（ＴＷ）の０．６〜０．８倍の範囲とするとともに、ベルトコードの、タイヤ赤道面に対する交角を１５〜３５°の範囲としてなる請求項１もしくは２に記載の重荷重用空気入りタイヤ。
【請求項４】
広幅ベルト層の平均幅と、狭幅ベルト層の平均幅との差を、トレッド幅（ＴＷ）の０．２〜０．４倍の範囲としてなる請求項１〜３のいずれかに記載の重荷重用空気入りタイヤ。
【発明の詳細な説明】
【技術分野】
【０００１】
この発明は、高い空気圧を充填され、高負荷条件の下で使用されるトラック・バス用タイヤ、建設車両用タイヤ等として用いて好適な重荷重用空気入りラジアルタイヤに関するものであり、とくには、三層以上のベルト層からなるベルトの、側縁位置でのセパレーションの発生を有効に抑制して、ベルトの耐久性を向上させる技術を提案するものである。
【背景技術】
【０００２】
従来のこの種のタイヤとしては、ラジアルカーカスのクラウン域の外周側に、たとえば、二層の内層側狭幅ベルト層と、これらの狭幅ベルト層より広幅の、二層の外層側広幅ベルト層とのそれぞれを、タイヤ幅方向断面内でラジアルカーカスのクラウン域に沿わせて順次に配設してなる主ベルトを具えたものがあり、かかるタイヤでは、狭幅ベルト層のベルトコードを、タイヤ赤道面に対して相対的に小さい角度で交差する向きに延在させることで、それらの狭幅ベルト層にタイヤの周方向張力を負担させてタイヤの径成長を抑制し、これにより、タイヤの負荷転動時のクラウン形状の変化を防止することとし、また、ベルト層を相対的に狭幅とすることで、ベルト層の側縁に発生する歪を低減させることとしている。
【０００３】
一方、広幅ベルト層は、ベルトコードの、タイヤ赤道面に対する交角を、狭幅ベルト層のベルトコードのそれより大きくし、また、ベルト幅を、狭幅ベルト層の幅より広幅に構成することで、ベルトの面内剛性を高めて、車両の旋回走行時等のタイヤの回頭性、車両の直進安定性等のすぐれた運動性能を確保することとしている。
【０００４】
この場合において、内層側の二層の狭幅ベルト層のそれぞれのベルトコードは、たとえば、タイヤ赤道面に対して相互に逆方向に延在させて層間で交差させることが、ベルト張力を十分に負担させる上で必要であるとされ、そして、外層側の二層の広幅ベルト層のそれぞれのベルトコードをもまた、同様にして層間で交差させることが、ベルトに高い面内曲げ剛性を発揮させる上で必要であるとされている。
【０００５】
そしてさらには、半径方向の内側から第２層目の狭幅ベルト層と、第３層目の広幅ベルト層とのそれぞれのベルトコードをもまた、たとえば、タイヤ赤道面に対して相互に逆方向に延在させて層間で互いに交差させたときには、最内層狭幅ベルト層と、３層目広幅ベルト層とのそれぞれのベルトコードの延在方向が同方向となって、半径方向に相互に隣接して位置することとなる、最内層狭幅ベルト層の側縁部分と、３層目広幅ベルト層との間での相対剪断歪が抑制されることになるため、最内層狭幅ベルト層の側縁への歪の集中を防止できることが知られている。
【０００６】
従って、主ベルトにおいては、全てのベルト層のそれぞれのベルトコードを、層間で相互に交差させて延在させることが、タイヤの径成長を抑制し、また、ベルトの、面内および面外曲げ剛性を高め、ベルト層側縁に発生する歪を分散させる上で好ましいとされている。
【０００７】
しかるにこのような従来タイヤでは、内層側の二層の狭幅ベルト層のベルトコードを相互に交差させて配置して、タイヤの径成長の抑制を図る場合には、内層側から第２層目の狭幅ベルト層のベルトコードと、第３層目の広幅ベルト層のベルトコードとが相互に交差することになるため、内層側の二層の狭幅ベルト層の側縁からの亀裂の発生を十分に抑制することが難しく、また、タイヤの径成長を所期した通りに拘束したり、ベルトの面内および面外剛性を所要に応じて高めることが困難であった。
【０００８】
これがため、ベルト層の側縁部分をコーティングゴムで被覆したり、ベルト層の側縁近傍部分の層間ゴムの弾性率を選択したりすることで、ベルト層の側縁からの亀裂の発生を抑制することが提案されているも、これによってなお、亀裂の発生を十分に防止することは不可能であった。
【発明の開示】
【発明が解決しようとする課題】
【０００９】
タイヤの負荷運動に当っては、円環状をなす主ベルトに、それの円周方向、半径方向、ベルト幅方向等の各種の方向から力が入力されることになり、このような入力に対しては、それぞれのベルト層の側縁部に、たとえば、交差コードのパンタグラフ様の変位に起因する、層間剪断歪その他の歪が発生し、このような歪は、前述した内層側狭幅ベルト層のように、ベルトコードの、タイヤ赤道面に対する交角が小さく、かつ、ベルト層幅が広くなるほど大きくなる傾向にあり、歪の大きい個所では、ベルト層の側縁に亀裂が早期に発生するとともに、その亀裂が、ベルト層間に進展し易いという問題がある。
【００１０】
ところで、先に述べた従来タイヤの、外層側のベルト層については、主ベルトの高い剛性の確保のためには、ベルト層幅の広幅化が有効であり、また、歪の低減に対しては、ベルトコードの、タイヤ赤道面に対する交角を大きくすることが有効であるので、従来タイヤにおいても、これらの両性能を両立させることは可能となる。
【００１１】
この一方で、従来タイヤの、ベルトコードのタイヤ赤道面に対する交角が小さい内層側の狭幅ベルト層は、径成長の抑制のためにはある程度のベルト層幅を確保することが不可避となるところ、ベルト層側縁での歪の低減のためには、その狭幅ベルト層の幅を狭くすることが必要になるという矛盾を含むことになるので、歪の低減を第一義として、狭幅ベルト層の幅を狭小化した場合には、タイヤの負荷転動に伴う径成長が否めず、発熱量および摩耗量の増加が余儀なくされ、また、トレッド踏面等に発生するカット傷の、最外層ベルト層の外表面に沿う早期の進展に起因して、トレッドゴムが剥離する、いわゆるカットセパレーションが発生し易くなるという問題があった。
【００１２】
この発明は、従来技術が抱えるこのような問題点を解決することを課題としてなされたものであり、それの目的とするところは、内層側の狭幅ベルト層の幅を、所要に応じた広幅として、タイヤの径成長を十分に抑制してなお、狭幅ベルト層の側縁部分に発生する歪の量を十分小さく抑えて、それらのベルト層、ひいては、ベルトのセパレーションを有効に防止できる重荷重用空気入りタイヤを提供するにある。
【課題を解決するための手段】
【００１３】
この発明は、ベルトコードの、タイヤ赤道面に対する交角が小さいベルト層につき、そのベルト層の幅を所要のものとしてなお、ベルト層の側縁部分に発生する剪断歪の増加を、ベルトの側部部分の構造に着目して抑制するものであり、この発明に係る重荷重用空気入りタイヤは、ラジアルカーカスのクラウン域の外周側に、たとえば、ともにスチール製のベルトコードよりなる、二層の内層側狭幅ベルト層と、これらの狭幅ベルト層より広幅の、一層以上の外層側広幅ベルト層とを順次に配設してなるものであり、たとえば、適用リムに組付けて規定内圧を充填したタイヤ姿勢の下で、二層の狭幅ベルト層のそれぞれのベルトコードの、タイヤ赤道面に対する交角を、広幅ベルト層のベルトコードのそれより小さくするとともに、それらのそれぞれのベルト層のベルトコードを、層間で相互に交差する方向に向けて、好ましくは、タイヤ赤道面に対して相互に逆方向に向けて延在させ、また、これもたとえば、上述したと同様のタイヤ姿勢の下で、最内層狭幅ベルト層の側縁部分を、半径方向外方に向けて凸となる形態とするとともに、その凸部の最大突出高さ（Ｃ）、すなわち、凸部内周面の最大突出高さ（Ｃ）を、その最内層狭幅ベルト層の内周面の、タイヤ赤道面との交差位置を基準として、いいかえれば、狭幅ベルト層の内周面の当該位置に接してタイヤの中心軸線と平行に延びる直線からタイヤ半径方向に測って、
０＜Ｃ＜３×ｄ１
ｄ１：最内層狭幅ベルト層のベルトコードの直径
の範囲とし、前記凸部のピーク部分を、最内層狭幅ベルト層の幅に対し、タイヤ赤道面を中心として、６０％〜９５％の範囲内で、且つ、最内層狭幅ベルト層の外周側に隣接する狭幅ベルト層の側縁位置よりも、タイヤ幅方向内側に設けてなるものである。
【００１４】
ここにおいて、「最内層狭幅ベルト層の側縁部分」とは、その狭幅ベルト層の幅（Ｗ１）に対し、タイヤ赤道面を中心として、６０％から９５％の範囲に含まれる部分をいうものとし、形成された凸部は、そのピーク位置が上記の範囲内に存在するものとする。
【００１５】
また、上述したところにおける「適用リム」とは、タイヤサイズに応じて下記の規格に規定されたリムをいい、「規定内圧」とは、下記の規格において、最大負荷能力に対応して規定される空気圧をいい、最大負荷能力とは、下記の規格で、タイヤに負荷することが許容される最大の質量をいう。
なお、ここにおける空気は、窒素ガス等の不活性ガスその他に置換することも可能である。
【００１６】
そして規格とは、タイヤが生産または使用される地域に有効な産業規格によって決められたものであり、例えば、アメリカ合衆国では“ＴＨＥ  ＴＩＲＥ  ＡＮＤ  ＲＩＭ  ＡＳＳＯＣＩＡＴＩＯＮ  ＩＮＣ．のＹＥＡＲ  ＢＯＯＫ”であり、欧州では、“ＴＨＥ  Ｅｕｒｏｐｅａｎ  Ｔｙｒｅ  ａｎｄ  Ｒｉｍ  Ｔｅｃｈｎｉｃａｌ  ＯｒｇａｎｉｚａｔｉｏｎのＳＴＡＮＤＡＲＤＳ  ＭＡＮＵＡＬ”であり、日本では日本自動車タイヤ協会の“ＪＡＴＭＡ  ＹＥＡＲ  ＢＯＯＫ”である。
【００１７】
ここで好ましくは、たとえば、適用リムに組付けて規定内圧を充填したタイヤ姿勢の下で、それぞれの狭幅ベルト層の幅をいずれも、トレッド幅（ＴＷ）の０．２５〜０．５倍の範囲とするとともに、たとえばスチール製のベルトコードの、タイヤ赤道面に対する角度を３〜１０°の範囲とし、また好ましくは、たとえば同様のタイヤ姿勢において、広幅ベルト層の幅を、トレッド幅（ＴＷ）の０．６〜０．８倍の範囲とするとともに、たとえばスチール製のベルトコードの、タイヤ赤道面に対する交角を１５〜３５°の範囲とする。
【００１８】
また好ましくは、広幅ベルト層の平均幅と、狭幅ベルト層の平均幅との差を、トレッド幅（ＴＷ）の０．２〜０．４倍の範囲とする。
【発明の効果】
【００１９】
図１０にタイヤ幅方向の半幅断面図で示すような主ベルトを具える従来タイヤについてドラムを用いた走行耐久試験を行ったところ、ラジアルカーカス５１のクラウン域の外周側に配設した二層の内層側狭幅ベルト層５２，５３のうち、外周側に位置するベルト層５３の側縁位置からは、それの内周側に位置する狭幅ベルト層５２に向かう亀裂Ｃ１に加えて、それの外周側に隣接して位置する外層側広幅ベルト層５４に向かうとともに、そのベルト層５４との間に進展する亀裂Ｃ２が発生し、最内層のベルト層５２の側縁位置からは、外周側に位置する狭幅ベルト層５３に向かうとともに、そのベルト層５３との間に進展する亀裂Ｃ３が発生することが明らかになった。
なお図中５５は、最外層に位置する外層側広幅ベルト層を示す。
【００２０】
そこで、このような亀裂Ｃ１，Ｃ２，Ｃ３の発生原因となる層間剪断歪の発生状況を、有限要素法による歪解析をもって解析した結果、層間剪断歪には、タイヤの負荷転動によって、トレッド接地部分が押し込み変形されることに起因する、タイヤ幅方向断面内でのベルトの曲げ変形により、ベルトにその全幅にわたって発生する層間剪断歪の他、タイヤへの荷重の負荷時および、トレッド踏面への横方向入力の作用時等に、ベルトの側部部分に発生する周方向引張り力に起因する層間剪断歪があることが判明した。
【００２１】
従って、ベルト層５２，５３のそれぞれの側縁からの、上述したような亀裂Ｃ１，Ｃ２，Ｃ３は、このような二種類の層間剪断歪の重なり合いに起因して発生するということができ、層間剪断歪のこのような重なり合いの態様は、図１１にグラフで例示するように表わすことができる。
なお、図の縦軸の剪断歪（％）は、周方向にずれるベルト層間の歪率を示す。
【００２２】
図１１によれば、それぞれの狭幅ベルト層５２，５３間の歪は、それらの側縁部分では、曲げによる剪断歪と、引張りによる剪断歪との重なり合いによってとくに大きくなり、この一方で、ベルト層５３，５４間の剪断歪は、両狭幅ベルト層５２，５３の側縁部分では、それらの間の歪と同様に大きくなるも、狭幅ベルト層５３の側縁から、ベルト幅方向の外側に向けて次第に減少することが解かる。
【００２３】
以上のことによれば、亀裂Ｃ１，Ｃ２，Ｃ３の発生を抑えるためには、曲げによる剪断歪および、引張りによる剪断歪の少なくとも一方を低減させることが有効である。
【００２４】
ここで、曲げ変形に起因する層間剪断歪の低減のためには、隣接するベルト層の周方向の伸びの差を大きくして、トレッド踏面の踏み込みおよび蹴り出し時の曲げ変形を、ベルト層の層間ゴムではなく、ベルト層それ自体の伸縮によって吸収することが有効であるとともに、内周側ベルト層と外周側ベルト層との間隔を大きくとることが重要であり、たとえば、剪断歪がとくに集中する、最内層から第２層目の狭幅ベルト層の側縁に対する歪の抑制のためには、その第２層目の狭幅ベルト層の側縁と対応する部分で、それの外周側に隣接する第３層目のベルト層である広幅ベルト層を、第４層目の広幅ベルト層が存在するときはそれをも含めて、半径方向外側に向けて凸となる形態に形成することが有効であるも、この層間間隔の増加によれば、トレッド部の総厚みが厚くなって、タイヤの負荷転動に際する発熱量が多くなるので、タイヤの発熱耐久性の低下が否めないという他の問題があった。
【００２５】
そこでこの発明では、「隣接するベルト層の周方向の伸びの差を大きくすること」によって、ベルトの曲げ変形に起因する層間剪断歪の低減をもたらすことを第一義として、最内層ベルト層の側縁部分に、タイヤ赤道面との交差位置に比して半径方向の外方に凸となる凸部を設ける。
【００２６】
すなわち、この発明に係るタイヤのようなベルト構造の下では一般に、タイヤ赤道面に対するベルトコード交角の小さい二層の内層側狭幅ベルト層は円周方向に伸び難く、一方、これらのベルト層の外周側にあって、タイヤ赤道面に対するベルトコード交角が相対的に大きい一層以上の外層側広幅ベルト層は伸縮し易い特性をもつことになり、タイヤへの荷重の負荷によって、ベルトが、それの幅方向断面内で見て、半径方向内向きの曲げ変形を受ける場合に、上記の凸部の形成に基く、曲げの中立軸の位置の選択によって、ベルトの中央域部分の全体を周方向圧縮側に位置させる一方で、内層側のそれぞれの狭幅ベルト層の側部部分を周方向引張り側に位置させ、そして、外層側の広幅ベルト層の側部部分をより広い範囲にわたって周方向圧縮側に位置させることにより、内層側から第２層目の狭幅ベルト層の側縁およびその近傍部分を周方向引張側に、そして第３層目の広幅ベルト層を圧縮側に位置させて、大きな伸びの差を確保することで、それらの両ベルト層間の、周曲げによる剪断歪を有効に低下させることができる。
【００２７】
図１はこのことを示すグラフであり、これによれば、最内層狭幅ベルト層の側縁部分への凸部の形成により、曲げ変形に起因する層間剪断歪は、最内層と、第２層目の狭幅ベルト層との間および、第２層目の狭幅ベルト層と、第３層目の広幅ベルト層との間のいずれにおいても、ベルト中央域部分では、図１１に示す場合に比して、タイヤ赤道面側に向けて次第に増加する一方で、それぞれのベルト層の側縁部分では、同図に示す場合に比し、それらの側縁に向けて次第に減少することが解かる。
【００２８】
これに対し、最内層狭幅ベルト層への、前述したような凸部の形成によっては、それぞれのベルト層の側縁部での、引張りに起因する層間剪断歪は、図１１に示すところと同程度発生することになるも、曲げ変形に起因する層間剪断歪の、上述したような減少に基いて、ベルト層の側縁部でのトータルの剪断歪を有効に低減させることができるので、内層側狭幅ベルト層の側縁への亀裂の発生は有利に抑制されることになる。
【００２９】
ところで、曲げ変形に起因する層間剪断歪のこのような低減をもたらすためには、最内層の狭幅ベルト層の凸部、とくにはそのピーク部分を、その狭幅ベルト層の側縁部分、すなわち、その狭幅ベルト層の、タイヤ幅方向に測った幅（Ｗ１）に対し、タイヤ赤道面を中心として、６０％から９５％の範囲に含まれる部分内に位置させることが必要である。
【００３０】
これによれば、最内層ベルト層の側縁と、第２層目のベルト層の側縁との間の、曲げによる剪断歪を選択的に低減させることができる。
すなわち、その凸部を６０％未満の領域に位置させたときは、両ベルト層間の、中央部寄り部分の曲げによる剪断歪は低減できても、ベルト側縁での剪断歪は、むしろ大きくなる傾向にあり、一方、９５％を越える領域に位置させたときは、第２層目のベルト層の側縁より、ベルト幅方向の外側に凸部のピークが位置することになって、凸部を形成することの実効性に乏しくなる。
【００３１】
また、この場合は、狭幅ベルト層の凸部の内周面の最大突出高さ（Ｃ）を、その最内層狭幅ベルト層の、タイヤ赤道面との交差位置での内周面を基準として、いいかえれば、狭幅ベルト層の内周面の当該位置に接してタイヤ中心軸線と平行に延びる直線からタイヤ半径方向に測って、
０＜Ｃ＜３×ｄ１
ｄ１：最内層狭幅ベルト層のベルトコードの直径
の範囲とする。
【００３２】
いいかえれば、最内層狭幅ベルト層の凸部なしでは、曲げ変形に起因する層間剪断歪を低減させることができず、一方、凸部の突出高さが３ｄ１以上では、ベルト幅の中央部から発生するそれぞれの層間亀裂の進展度合いが大きくなりすぎる不都合がある。
【００３３】
以上のような重荷重用空気入りタイヤにおいて、最内層および第２層目のそれぞれの狭幅ベルト層の幅を、トレッド幅（ＴＷ）の０．２５〜０．５倍の範囲としたときは、狭幅ベルト層に径成長抑制機能を十分に発揮させてなお、ベルト層側縁からの亀裂の発生を有効に防止することができる。
【００３４】
すなわち、それが０．２５倍未満では、タイヤの径成長に起因する、発熱量、摩耗量等についての、前述したと同様の問題が生じることになり、それが０．５倍を越えると、ベルト層側縁での前述したような剪断歪の増加に加えて、振動乗心地の悪化等の問題が生じることになる。
【００３５】
またこの場合には、狭幅ベルト層のベルトコードのタイヤ赤道面に対する交角を３〜１０°の範囲とすることが、ベルト層に、高い周方向耐張力を発揮させてベルト耐久性を高める上で好ましい。
その交角が３°未満では、ベルト層の周方向の伸長をほとんど期することができず、中央域耐張力と側部域耐張力との差が大きくなりすぎて、トレッド側部域の接地長さが長くなりすぎるため、不均一な摩耗が発生するおそれが高く、一方、１０°を越えると、狭幅ベルト層の耐張力、ひいては、径成長抑制力が不足して、トレッド部の発熱量、摩耗量が増加し、カットセパレーションが発生し易くなる。
【００３６】
そしてまた、一層以上の広幅ベルト層の幅は、トレッド幅（ＴＷ）の０．６〜０．８倍の範囲とすることが、ベルト層側縁での歪を有効に抑制しつつ、コーナリングパワーに対する、すぐれた耐摩耗性を確保する上で好ましい。
広幅ベルト層の幅が０．６倍未満では、径成長抑制機能および、トレッド部の耐摩耗性の低下が否めず、０．８倍を越えると、ベルト層側縁でのセパレーション故障が発生し易くなる。
【００３７】
なおこの場合は、広幅ベルト層のベルトコードの、タイヤ赤道面に対する交角を１５〜３５°とすることが、コーナリングパワーの発生に対する耐摩耗性の向上をもたらす上で好ましい。
【００３８】
さらにまた、広幅ベルト層の平均幅と、狭幅ベルト層の平均幅との差を、トレッド幅（ＴＷ）の０．２〜０．４倍の範囲とすることが、層間歪の抑制と、耐摩耗性とを高次元でバランスさせる上で好ましい。
【発明を実施するための最良の形態】
【００３９】
図２は、適用リムに組付けて規定内圧を充填したタイヤ姿勢の下での、この発明の実施の形態をタイヤの半部について示す幅方向断面図であり、図中１はトレッド部を、２は、トレッド部１の側部に連続して半径方向内方へ延びるサイドウォール部を、そして３は、サイドウォール部２の内周側に連続するビード部をそれぞれ示す。
【００４０】
ここでは、それぞれのビード部３に配設したビードコア４間にトロイダルに延在して上記の各部１，２，３を補強する、少なくとも一枚のカーカスプライからなるラジアルカーカス５を配設するとともに、このラジアルカーカス５のそれぞれの側部部分をビードコア４の周りで半径方向外方に巻き返す。
【００４１】
そして、このようなラジアルカーカス５のクラウン域の外周側には、トレッド部１を補強する三層以上のベルト層、図では四層のベルト層からなるベルト６を配設し、それらのベルト層のうち、最内層のベルト層と、それの外周側に隣接する第２層目のベルト層のそれぞれをともに内層側狭幅ベルト層１Ｂ，２Ｂとし、これらのベルト層１Ｂ，２Ｂの外周側に配設した第３層目のベルト層および、最外層のベルト層のそれぞれをともに外層側広幅ベルト層３Ｂ，４Ｂとする。
【００４２】
またここでは、図３に、ベルトを平面透視状態で示すところから明らかなように、それぞれのベルト層の相互間で、最内層狭幅ベルト層１Ｂの、タイヤ幅方向に測った幅Ｗ１を、第２層目の狭幅ベルト層２Ｂの同様の幅Ｗ２より広幅とするとともに、第３層目の広幅ベルト層３Ｂをいずれのベルト層よりも広幅とし、そして、最外層の広幅ベルト層４Ｂの幅Ｗ４を、最内層狭幅ベルト層１Ｂのそれより広幅で、第３層目のベルト層３Ｂの幅Ｗ３より狭幅とする。
【００４３】
ここで好ましくは、両狭幅ベルト層１Ｂ，２Ｂの幅Ｗ１，Ｗ２を、トレッド幅ＴＷの０．２５〜０．５倍の範囲とし、両広幅ベルト層３Ｂ，４Ｂの幅Ｗ３，Ｗ４を、トレッド幅ＴＷの０．６〜０．８倍の範囲とする。
【００４４】
そしてまた好ましくは、両広幅ベルト層３Ｂ，４Ｂの平均幅と、両狭幅ベルト層１Ｂ，２Ｂの平均幅との差を、トレッド幅ＴＷの０．２倍〜０．４倍の範囲内とする。
【００４５】
併せてここでは、それぞれの狭幅ベルト層１Ｂ，２Ｂの、スチール、アラミド繊維その他の非伸長性材料からなるベルトコードの、タイヤ赤道面Ｘに対する交角θ１，θ２を、好ましくは、ともに３〜１０°の範囲とするとともに、広幅ベルト層３Ｂ，４Ｂの同様のベルトコードの、タイヤ赤道面Ｘに対する交角θ3，θ4をともに、上記の交角θ１，θ２より大きい角度、これも好ましくは１５〜３５°の範囲とする。
そしてこれらのそれぞれのベルトコードは、図３に示すように、隣接するベルト層の相互間で、タイヤ赤道面に対して逆方向に向けて延在させることが好ましい。
【００４６】
それぞれのベルト層を以上のように配設したところにおいて、ここではさらに、図４（ａ）にベルト６を拡大して示すように、最内層狭幅ベルト層１Ｂの側縁部分、いいかえれば、その狭幅ベルト層１Ｂの幅Ｗ１に対し、タイヤ赤道面Ｘを中心として６０〜９５％の範囲に含まれる部分を、その範囲の一部もしくは全部で半径方向外方に向けて凸となる形態に、たとえば、ゴム材料の介装または、トレッドゴムの形状の選択等によって形成し、このようにして形成される凸部７の、内周面の最大突出高さＣを、最内層狭幅ベルト層１Ｂの、タイヤ赤道面Ｘとの交差位置で、その狭幅ベルト層１Ｂの内周面に接してタイヤの中心軸線と平行に延びる直線ｌからタイヤ半径方向に測って、
０＜Ｃ＜３×ｄ１
ｄ１：狭幅ベルト層１Ｂのベルトコードの直径
の範囲とする。
【００４７】
なお、図４（ａ）に示すところでは、最内層狭幅ベルト層１Ｂに凸部を形成することの結果として、第２層目の狭幅ベルト層２Ｂにもまた半径方向外向きの凸部８が形成されることになるも、その凸部８の形成はこの発明に必須のものではない。
【００４８】
ベルト６をこのように構成した場合には、タイヤの負荷転動によってトレッド接地部分が半径方向内側に押し込み変形されることによるベルト６の曲げ変形に当っては、曲げの中立軸が、図４（ａ）に一点鎖線で示すように延在することになり、この中立軸９の延在形態によれば、最内層ベルト層に凸部を形成しない場合、すなわち、従来技術の、図４（ｂ）に示す中立軸９の延在形態に比し、とくに、外層側の広幅ベルト側３Ｂの側部部分を、より広い範囲にわたって周方向圧縮側に位置させることになる。
【００４９】
これがため、第２層目の狭幅ベルト層２Ｂの側縁近傍位置、たとえば図４（ａ）のＣ−Ｃ位置での断面でみたときの、周方向剛性の高いその狭幅ベルト層２Ｂと、周方向剛性の低い広幅ベルト層３Ｂとのそれぞれの、周方向での伸縮変形は、図４（ｃ）に模式的に例示するように行われることになって、広幅ベルト層３Ｂは周方向に圧縮変形される一方で、狭幅ベルト層２Ｂは周方向に伸長変形されることになり、この場合の伸びの差は、図４（ｂ）の同様の断面位置での伸縮変形態様を示す図４（ｄ）の場合に比してはるかに大きくなるので、狭幅ベルト層２Ｂの側縁部分と広幅ベルト層３Ｂとの間の層間剪断歪を有効に低減させることができる。
【００５０】
なお、図１に示すところによれば、先にも述べたように、最内層狭幅ベルト層１Ｂおよび第２層目の狭幅ベルト層２Ｂの側縁部での、引張力に基く層間剪断歪それ自体の大きさは、実質上低減されないことが解かる。
【００５１】
ところで、最内層狭幅ベルト層１Ｂの側縁部分に形成される凸部７の最大突出高さＣの測定は、図５に示すように、狭幅ベルト層１Ｂの、タイヤ赤道面Ｘとの交差位置で、その赤道面Ｘを挟んで位置する三本づつ、計六本のベルトコードの、内周縁平均位置を通ってタイヤの中心軸線と平行に延びる直線ｌを、その狭幅ベルト層１Ｂの側縁近傍まで延在させて、形成されたそれぞれの凸部７で、最も半径方向の外側に位置するベルトコードの内周縁とその直線ｌとの距離を測ることによって行うことができる。
【実施例１】
【００５２】
サイズが４０００Ｒ５７で、図６に示すような六層のベルト構造およびトレッド幅を有するタイヤにつき、最内層狭幅ベルト層１Ｂの幅Ｗ１に対し、タイヤ赤道面Ｘを中心として７８％の個所に凸部の最大突出高さを位置させるとともに、その量大突出高さＣを図７に示すように変化させた場合のベルト耐久性を評価したところ、図８に表およびグラフで示す結果を得た。
なおここでは、最内層ベルト層のベルトコードの直径は２．５ｍｍとした。
【００５３】
ところで、ここでの評価は、タイヤを、リム幅が２９インチのリムに組付けるとともに、充填内圧を７００ｋＰａとして、それを、３０℃の雰囲気温度の下で、５．０ｍの直径の試験ドラム上にて１０ｋｍ／ｈの速度で負荷転動させることにより行い、この場合、負荷質量を、ＴＲＡ規格に規定される質量の１５０％とするとともに、トレッド踏面への横方向入力を０．１Ｇとし、また、タイヤを２４０時間転動させた後、そのタイヤを周上の四個所で幅方向に切断してベルト層の側縁等から発生する亀裂の成長長さを測定した。
【００５４】
なお、この試験では、最内層狭幅ベルト層１Ｂに凹部を形成した従来タイヤおよび、実施例タイヤ１〜４のいずれにも、二層の内層側狭幅ベルト層１Ｂ、２Ｂの側縁から、図１０について述べたような亀裂Ｃ１，Ｃ２，Ｃ３が発生したので、ここでは、第２層目の狭幅ベルト層２Ｂの側縁位置を基準として、両狭幅ベルト層間の亀裂の最大長さＣ１２および、第２層目のベルト層２Ｂと、第３層目のベルト層３Ｂとの間の亀裂の最大長さＣ２３を測定した。
【００５５】
この一方で、ベルト層間の亀裂は、狭幅ベルト層１Ｂに形成した凸部の、最大突出高さＣの増加に起因して、タイヤ赤道面Ｘからベルト側縁側に向かってもまた発生したので、ここでは、両狭幅ベルト層間に発生した亀裂の、タイヤ赤道面Ｘからの距離ＣＣ１２および、第２層目のベルト層２Ｂと、第３層目のベルト層３Ｂとの間の亀裂の、タイヤ赤道面Ｘからの距離ＣＣ２３をもまた測定した。
【００５６】
図８に示すところによれば、凸部の最大突出高さＣを０＜Ｃ＜３×ｄ１の範囲としたときに、いずれの方向から成長する亀裂をもとくに効果的に抑制できることが解かる。
【００５７】
いいかえれば、それが０以下では狭幅ベルト層１Ｂ、２Ｂの側縁から成長する亀裂が長くなりすぎ、３ｄ１以上では、タイヤ赤道面側から成長する、亀裂が急激に長くなる不都合がある。
【実施例２】
【００５８】
実施例１で用いたタイヤと基本構造を同一にするタイヤにつき、最内層狭幅ベルト層１Ｂの凸部の最大突出高さを３ｍｍ（１．２×ｄ１）とするとともに、第３層目広幅ベルト層３Ｂに、図９に示すように、内層側狭幅ベルト層１Ｂ、２Ｂの側縁とほぼ対応して位置して半径方向外側に凸となる凸部１０を形成した場合のベルト耐久性を、実施例１と同様にして評価したところ、図８のグラフに○および□で示すように、Ｃ１２およびＣ２３のそれぞれを、２８ｍｍおよび３０ｍｍまで低減させることができ、また、ＣＣ１２およびＣＣ２３のそれぞれをともに０ｍｍまで低減させることができた。
【００５９】
これはすなわち、広幅ベルト層３Ｂへの凸部１０の形成によって、そのベルト層３Ｂの側部部分が、圧縮側に一層大きく入り込むことになり、ベルトの周方向における伸び縮みの差をより大きく発生させることができて、内層と外層間での剪断歪を更に低減できることに基くものである。
【図面の簡単な説明】
【００６０】
【図１】この発明に係るタイヤによってもたらされる効果を示すグラフである。
【図２】この発明の実施形態をタイヤの半部について示す幅方向断面図である。
【図３】ベルトの半部について示す平面透視図である。
【図４】最内層狭幅ベルト層への凸部の形成例を示す図である。
【図５】凸部の最大突出高さの測定態様を示す図である。
【図６】実施例に用いたタイヤの、ベルト層の基本積層構造等を示す図である。
【図７】実施例１に用いた実施例タイヤのベルト構造を例示する図である。
【図８】実施例１の、亀裂成長長さについての測定結果を示す図である。
【図９】実施例２に用いた実施例タイヤのベルト構造を例示する図である。
【図１０】従来タイヤのベルト構造をその半部について示す幅方向断面図である。
【図１１】従来のベルト構造に発生する層間剪断歪の比率を示すグラフである。
【符号の説明】
【００６１】
１  トレッド部
２  サイドウォール部
３  ビード部
４  ビードコア
５  ラジアルカーカス
６  ベルト
７，１０  凸部
９  中立軸
Ｗ１  最内層狭幅ベルト層の幅
Ｘ  タイヤ赤道面
１Ｂ，２Ｂ，３Ｂ，４Ｂ  ベルト層
Ｃ  最大突出高さ
ｌ  直線
θ１，θ２，θ３，θ４  ベルトコードのタイヤ赤道面に対する交角
Ｃ１２，Ｃ２３，ＣＣ１２，ＣＣ２３  亀裂成長長さ
【図１】
0004570526.tif 000002
【図２】
0004570526.tif 000003
【図３】
0004570526.tif 000004
【図４】
0004570526.tif 000005
【図５】
0004570526.tif 000006
【図６】
0004570526.tif 000007
【図７】
0004570526.tif 000008
【図８】
0004570526.tif 000009
【図９】
0004570526.tif 000010
【図１０】
0004570526.tif 000011
【図１１】
0004570526.tif 000012